(57)【要約】【課題】オゾン水を容器に充填・密封して販売する際、その容器を開封して実際に使用するときに、容易に所定の濃度に調整することができる販売方法を提供する。【解決手段】所定濃度に調製された所定量の原料オゾン水を販売容器に充填して密封してその充填期日を当該容器に直接または間接的に記録し、このオゾン水販売容器をオゾン水希釈容器とともに販売し、このオゾン水希釈容器には、オゾン水販売容器に充填されている原料オゾン水を所望濃度に希釈する際の原料オゾン水または希釈水または両者合計の注入レベルを示す目印を、オゾン水販売容器の充填期日からの経過時間をパラメータとする関数形式で表現して記録しておくオゾン水販売方法としている。【選択図】      図２
2005014993.tif 000002
【特許請求の範囲】
【請求項１】
所定濃度に調製された所定量の原料オゾン水を販売容器に充填して密封するとともに、充填期日、充填時からの経過時間とオゾン濃度との関係を適宜な形式で媒体に記録し、オゾン水充填後の販売容器とともに販売することを特徴とするオゾン水販売方法。
【請求項２】
請求項１に記載のオゾン水販売方法に供されるオゾン水販売容器であって、充填期日、充填時からの経過時間とオゾン濃度との関係を記録した媒体が一体的に添付されていることを特徴とするオゾン水販売容器。
【請求項３】
所定濃度に調製された所定量の原料オゾン水を販売容器に充填して密封してその充填期日を当該容器に直接または間接的に記録し、このオゾン水販売容器をオゾン水希釈容器とともに販売し、このオゾン水希釈容器には、オゾン水販売容器に充填されている原料オゾン水を所望濃度に希釈する際の原料オゾン水または希釈水または両者合計の注入レベルを示す目印を、オゾン水販売容器の充填期日からの経過時間をパラメータとする関数形式で表現して記録しておくことを特徴とするオゾン水販売方法。
【請求項４】
オゾン水販売容器に充填されている原料オゾン水を一定量の希釈水を使って所望濃度に希釈する際に注入する原料オゾン水の注入レベルを示す目印が、オゾン水販売容器に原料オゾン水が充填されてからの経過時間を横軸とする関数形式で表現されて記録されていることを特徴とするオゾン水希釈容器。
【請求項５】
オゾン水販売容器に充填されている原料オゾン水を一定量使って所望濃度に希釈する際に注入する希釈水の注入レベルを示す目印が、オゾン水販売容器に原料オゾン水が充填されてからの経過時間を横軸とする関数形式で表現されて記録されていることを特徴とするオゾン水希釈容器。
【請求項６】
オゾン水販売容器に充填されている原料オゾン水を所望濃度に希釈する際に一定量の原料オゾン水と希釈水との合計の注入レベルを示す目印が、オゾン水販売容器に原料オゾン水が充填されてからの経過時間を横軸とする関数形式で表現されて記録されていることを特徴とするオゾン水希釈容器。
【請求項７】
オゾン水販売容器に充填されている原料オゾン水を所望濃度に希釈する際に原料オゾン水と一定量の希釈水との合計の注入レベルを示す目印が、オゾン水販売容器に原料オゾン水が充填されてからの経過時間を横軸とする関数形式で表現されて記録されていることを特徴とするオゾン水希釈容器。
【請求項８】
オゾン水販売容器に充填されている原料オゾン水を一定量の希釈水を使って所望濃度に希釈する際に注入する原料オゾン水の注入レベルを示す目印が、オゾン水販売容器に原料オゾン水が充填されてからの経過時間に対応して記録されていることを特徴とするオゾン水希釈容器。
【請求項９】
オゾン水販売容器に充填されている原料オゾン水を一定量使って所望濃度に希釈する際に注入する希釈水の注入レベルを示す目印が、オゾン水販売容器に原料オゾン水が充填されてからの経過時間に対応して記録されていることを特徴とするオゾン水希釈容器。
【請求項１０】
オゾン水販売容器に充填されている原料オゾン水を所望濃度に希釈する際に一定量の原料オゾン水と希釈水との合計の注入レベルを示す目印が、オゾン水販売容器に原料オゾン水が充填されてからの経過時間に対応して記録されていることを特徴とするオゾン水希釈容器。
【請求項１１】
オゾン水販売容器に充填されている原料オゾン水を所望濃度に希釈する際に原料オゾン水と一定量の希釈水との合計の注入レベルを示す目印が、オゾン水販売容器に原料オゾン水が充填されてからの経過時間に対応して記録されていることを特徴とするオゾン水希釈容器。
【請求項１２】
請求項５、６、９、１０のいずれかにおいて、オゾン水販売容器に充填されている原料オゾン水全量を使用することを特徴とするオゾン水希釈容器。
【発明の詳細な説明】
【０００１】
【発明の属する技術分野】
この発明は容器内に密閉されたオゾン水を販売するのにあたり、容器を開封して実際に使用されるときに、容易に所定の濃度に調整することができる販売方法に関する。
【０００２】
【従来の技術】
医療現場での殺菌消毒や、各種脱臭用途として、オゾン水が利用され始めている。周知の通り、オゾン（０３）強い酸化力・殺菌力を有する反面、その使用時において有効な殺菌力を有するとともに人体に無害とされる適度な濃度に精度よく調整されていなくてはならない。医療現場での殺菌・消毒用途では、４ｐｐｍの濃度のオゾン水で３０秒程度手洗いすることが殺菌効率および安全の両面から最も効果的であることが知られている。しかし、オゾンは極めて不安定な物質であり、一定濃度のオゾン水を精度よく供給することが困難であった。そこで、厳密な濃度制御を可能とするオゾン水製造装置が開発された（例えば、特許第３２０９８４３号参照）。
【０００３】
しかしながら、オゾン水を大量に使用する現場ならともかく、使用頻度が低く、しかも少量の所定濃度のオゾン水を要するようなオゾン水使用現場では、高額なオゾン水製造装置を導入する訳にはいかない。そこで、オゾン水を容器に封入して販売することが考えられる。
【０００４】
【発明が解決しようとする課題】
オゾンは酸化力が強く他の物質を酸化させるとともに、オゾン自体も極めて不安定な物質であり自然に分解する。光や熱を加えると分解が促進される。したがって、容器内のオゾン水のオゾン濃度は経時的に変化する。さらに、触媒性の物質と接触するとさらにその分解が促進されるため、オゾン水をオゾン耐性のある容器に密封して販売したとしても、その容器の素材自体が触媒として少なからず作用し、容器内壁と接触する部分でオゾンの分解が進む。そのため、容器の内壁近傍より容器中心部のほうがオゾン濃度が濃いというような濃度偏差が生じる。また、容器自体が触媒としてオゾンを分解させるということは、容器に密封したオゾン水の経時的濃度変化がその容器の材質・形状・サイズによっても異ることを意味する。したがって、容器に詰めた状態でオゾン水を販売して所望濃度のオゾン水を得ることは非常に困難であった。
【０００５】
【課題を解決するための手段】
上記課題に鑑み本発明を創作した。そして本発明の目的は、オゾン水を容器に充填・密封して販売する際、その容器を開封して実際に使用するときに、容易に所定の濃度に調整することができる販売方法を提供することにある。またその販売方法に採用されるオゾン水販売容器と、販売された容器詰めのオゾン水を所望の濃度に希釈するための希釈容器を提供することも目的としている。
【０００６】
上記目的を達成するための本発明は、所定濃度に調製された所定量の原料オゾン水を販売容器に充填して密封するとともに、充填期日、充填時からの経過時間とオゾン濃度との関係を適宜な形式で媒体に記録し、オゾン水充填後の販売容器とともに販売するオゾン水販売方法としている。
【０００７】
また、上記オゾン水販売方法に供されるオゾン水販売容器も本発明の範囲であって、充填期日、充填時からの経過時間とオゾン濃度との関係を記録した媒体が一体的に添付されていることを特徴としている。
【０００８】
さらに本発明は、販売容器に充填されたオゾン水を所望の濃度に希釈できるようにした販売方法にも及んでおり、所定濃度に調製された所定量のオゾン水を販売容器に充填して密封してその充填期日を当該容器に直接または間接的に記録し、このオゾン水販売容器をオゾン水希釈容器とともに販売し、このオゾン水希釈容器には、オゾン水販売容器に充填されているオゾン水を所望濃度に希釈する際のオゾン水または希釈水または両者合計の注入レベルを示す目印を、オゾン水販売容器の充填期日からの経過時間をパラメータとする関数形式で表現して記録しておくオゾン水販売方法としている。
【０００９】
上記希釈に対応した販売方法に供される以下のオゾン水希釈容器も本発明の範囲である。
オゾン水販売容器に充填されている原料オゾン水を一定量の希釈水を使って所望濃度に希釈する際に注入する原料オゾン水の注入レベルを示す目印が、オゾン水販売容器に原料オゾン水が充填されてからの経過時間を横軸とする関数形式で表現されて記録されているオゾン水希釈容器。
【００１０】
オゾン水販売容器に充填されている原料オゾン水を一定量使って所望濃度に希釈する際に注入する希釈水の注入レベルを示す目印が、オゾン水販売容器に原料オゾン水が充填されてからの経過時間を横軸とする関数形式で表現されて記録されているオゾン水希釈容器。
【００１１】
オゾン水販売容器に充填されている原料オゾン水を所望濃度に希釈する際に一定量の原料オゾン水と希釈水との合計の注入レベルを示す目印が、オゾン水販売容器に原料オゾン水が充填されてからの経過時間を横軸とする関数形式で表現されて記録されているオゾン水希釈容器。
【００１２】
オゾン水販売容器に充填されている原料オゾン水を所望濃度に希釈する際に原料オゾン水と一定量の希釈水との合計の注入レベルを示す目印が、オゾン水販売容器に原料オゾン水が充填されてからの経過時間を横軸とする関数形式で表現されて記録されているオゾン水希釈容器。
【００１３】
オゾン水販売容器に充填されている原料オゾン水を一定量の希釈水を使って所望濃度に希釈する際に注入する原料オゾン水の注入レベルを示す目印が、オゾン水販売容器に原料オゾン水が充填されてからの経過時間に対応して記録されているオゾン水希釈容器。
【００１４】
オゾン水販売容器に充填されている原料オゾン水を一定量使って所望濃度に希釈する際に注入する希釈水の注入レベルを示す目印が、オゾン水販売容器に原料オゾン水が充填されてからの経過時間に対応して記録されているオゾン水希釈容器。
【００１５】
オゾン水販売容器に充填されている原料オゾン水を所望濃度に希釈する際に一定量の原料オゾン水と希釈水との合計の注入レベルを示す目印が、オゾン水販売容器に原料オゾン水が充填されてからの経過時間に対応して記録されているオゾン水希釈容器。
【００１６】
オゾン水販売容器に充填されている原料オゾン水を所望濃度に希釈する際に原料オゾン水と一定量の希釈水との合計の注入レベルを示す目印が、オゾン水販売容器に原料オゾン水が充填されてからの経過時間に対応して記録されているオゾン水希釈容器。
【００１７】
なお、一定量のオゾン水を使って所望濃度に希釈するためのオゾン水希釈容器では、オゾン水販売容器に充填されている原料オゾン水全量を使用することがより望ましい。
【００１８】
【発明の実施の形態】
図１は、１００ｍｌのオゾン水（以下、原料オゾン水）を充填・密封した遮光性（着色）ガラス製の容器を販売容器として、この販売容器に原料オゾン水が充填・密封されてからの経過時間に対するオゾン濃度を示すグラフである。このグラフは、７５ｐｐｍの原料オゾン水を１℃で１００ｍｌ充填して密封した販売容器を多数用意しておくとともに、各販売容器を所定の断熱容器（例えば、発泡スチロール製）に収納した状態で保存し、各販売容器について、原料オゾン水充填時点からの経過時間を変えて断熱容器から取り出してすぐに開封したときに原料オゾン水の濃度を測定して得たものである。
【００１９】
本実施例の販売方法では、上記実験と同様の容量・濃度の原料オゾン水を上記販売容器に充填・密封し、それを上記保存状態で輸送して使用者に届けることとしている。そして、販売容器表面に日時など原料オゾン水の充填期日を記載し、先の経過時間とオゾン濃度との相関関係を記録した媒体とともに販売している。本実施例では先のオゾン濃度の経時変化を示すグラフが描かれた紙を付けて販売している。もちろん、紙に描いたグラフでなくてもよい。例えば、経過時間と濃度との相関関係を所定のファイル形式で適宜なデータ記録媒体に保存し、その媒体を付けてもよい。あるいは、相関関係を記憶するとともに経過時間を計測し、現時点での濃度を表示する表示計算機能付きの媒体をオゾン水販売容器とともに販売することも考えられる。なお媒体は販売容器自体に一体的に取りつけてあってもよいし、別に付属品として同梱してもよい。また、販売容器についても、テフロンなど、オゾン耐性があり密封できれば容器の材質はどのようなものであってもよい。
【００２０】
使用者は、販売容器を開封して原料オゾン水を希釈して使用する際、販売容器に記載されている充填期日からの経過時間を求めるとともに、この経過時間におけるオゾン濃度を販売容器に付いてきたグラフより求める。そして、容器から取り出した原料オゾン水に蒸留水など適宜な希釈水を足して所定の濃度に調整して使用する。なお、販売容器に付けるグラフは、この実施例に限らず、例えば、横軸を実際の日時としてもよい。すなわち、使用者は開封時の日時をそのまま横軸で読み取り、その日時における濃度をグラフより求めればよい。また、記載する充填期日を実際の日時とせず、充填後の日時で例えば正午や０時など経過時間が計算しやすい時間にしておく。そして、販売容器ごとにその記載日時からの経過時間と濃度との相関を示すグラフを付けておけばよい。
【００２１】
ところで、経過時間を求めた上でグラフから濃度を求め、さらに所望の濃度に希釈する作業を面倒に思う人もいる。そこで、販売容器に希釈用の専用容器を付帯させて販売してもよい。図２にこのオゾン水希釈容器（以下、希釈容器）の概略を例示した。この例における希釈容器１は、口の広い円筒形であり、販売容器の容量に対して十分な容量がある。
【００２２】
また、希釈容器１はガラス製で容器内の水位が確認できるようになっており、容器１外周には経過時間と濃度との相関に基づいて、原料オゾン水を所定の濃度に希釈する際に希釈水の注水レベルを示す目印が刻まれている。もちろん容器内側にその目印を刻んでおいてもよい。この例では、希釈後のオゾン濃度として複数の濃度があらかじめ規定されており、各希釈後濃度について、横軸が経過時間で縦軸が注水レベルとした曲線２が希釈容器１の外周に描かれている。さらに、複数の希釈後濃度に対応するそれぞれの曲線には希釈後濃度３が付記されているとともに色分けされて識別し易いようになっている。もちろん、線種を分けて描いておいてもよい。なお、この希釈容器１が付いた販売容器には先の紙に描かれたグラフなどの媒体は必要ない。オゾン水の充填期日が容器などに記載されていればよい。また、一度希釈容器１を購入すれば次回からは充填期日が記載された販売容器を購入すればよい。
【００２３】
この希釈容器１を使って販売容器内の原料オゾン水を所望の濃度に希釈する方法としては、まず、販売容器に原料オゾン水が充填・密封された期日を確かめる。つぎに、現在日時と充填期日とから経過時間を求め、希釈容器１に描かれている所望の希釈後濃度曲線上で、その経過時間に対応する注水レベルを読み取る。そして、曲線上でその経過時間に対応する点まで希釈水を満たす。販売容器を開封し充填されている原料オゾン水を一定量希釈容器１に入れる。それによって所望の濃度のオゾン水が得られる。なお、この例では、オゾン水が空気に触れるとオゾンが急激に分解することを考慮し、希釈水を先に希釈容器に入れ、希釈直前まで販売容器を開封しないように原料オゾン水を後から希釈容器１に入れることとしている。もちろん、原料オゾン水を先に希釈容器１に入れてもよい。この場合は、希釈容器１にオゾン水を入れる量を示す一定の水位が記され、その水位より上に希釈後濃度曲線が描かれることになる。また、原料オゾン水は販売容器内壁に接する部分でオゾンが分解しやすく、販売容器内で濃度分布がある可能性もあることから、販売容器内の原料オゾン水全量を希釈容器１に入れることが望ましい。この場合の希釈容器１は、販売容器の容量に基づいて希釈後濃度曲線が描かれていることになる。ここで、販売容器内の原料オゾン水を全量使用するものとして、４８時間経過後に５ｐｐｍのオゾン水を得ようとする例を図２に基づいて説明すると、希釈水をＡの水位まで入れたのち、販売容器内の原料オゾン水全量を希釈容器１に入れる。それによって、５ｐｐｍのオゾン水を得ることができる。
【００２４】
希釈容器における注水レベルの指示法としては、経過時間と注水レベルの関係を示した曲線に代えて、目盛りが振られた縦線を用いてもよい。図３にその縦線に目盛りが振られた希釈容器を例示した。複数の希釈後濃度に対応して目盛りが振られた縦線を複数本容器外周に描かれている。各縦線の目盛りは経過時間に対応している。すなわち、先の曲線上で、経過時間に対応する注水レベルを縦軸上に投影したものである。
【００２５】
また、各種希釈方法に対応して、注水レベルの表現法も各種が考えられる。例えば、原料オゾン水を先に希釈容器に入れ、その後所定量の希釈水を希釈容器に入れるようにする希釈方法では、所望の希釈後濃度に応じて複数の曲線あるいは目盛りがある縦線を描いておき、縦軸あるいは縦線には原料オゾン水の注水レベルを示しておく。所望の濃度に対応する曲線あるいは縦線から現在の経過時間に対応する注水レベルを読み取り、そのレベルまで原料オゾン水を入れる。そして、所定量の希釈水を希釈容器に入れて所望の濃度のオゾン水を得る。
【００２６】
あるいは、希釈後の水位を一定とし、所望の濃度を得るための原料オゾン水（あるいは希釈水）の注水レベルを経過時間に応じて示すようにしてもよい。この場合、経過時間と所望の希釈後濃度に応じた水位まで原料オゾン水（希釈水）を希釈容器に入れ、その原料オゾン水（希釈水）に希釈水（原料オゾン水）を所定の水位になるまで足す。
【００２７】
【発明の効果】
本発明のオゾン水販売方法によれば、濃度が経時変化するオゾン水を容器に詰めて販売しても、その容器を開封してオゾン水を使用する時点の濃度を認知することができる。また、その認知した濃度に基づいて所望の濃度に希釈して使用することができる。
【図面の簡単な説明】
【図１】本発明の実施例におけるオゾン水販売方法において、販売容器とともに販売される濃度特性図表の概略図である。
【図２】上記販売方法によって販売されるオゾン水を所望の濃度に希釈するためのオゾン水希釈容器の概略図である。
【図３】上記オゾン水希釈容器の変更例の概略図である。
【符号の説明】
１  オゾン希釈容器
２  注水レベル目印
【図１】
2005014993.tif 000003
【図２】
2005014993.tif 000004
【図３】
2005014993.tif 000005